(57)【要約】【課題】住宅の外観意匠を格段に高めることができる庇構造を提供する。【解決手段】この庇構造は、住宅本体１における一階外壁２と二階外壁３の境界部分から張り出した玄関用庇、カーポート用庇、窓用庇等の庇群を、同一高さレベルで一体的に連続させてなる連続庇４を備えている。そして、この連続庇４を、住宅本体１における玄関側の正面１０全体を含めた少なくとも３方向の面１０、１１、１２に跨って広範囲にバランス良く配置している。【選択図】図２
2010013875.tif 000002
【特許請求の範囲】
【請求項１】
住宅本体（１）における一階外壁（２）と二階外壁（３）の境界部分から張り出した庇群を同一高さレベルで一体的に連続させてなる連続庇（４）を、前記住宅本体（１）における玄関（２０）側の正面（１０）全体を含めた少なくとも３方向の面（１０）（１１）（１２）に跨って配置したことを特徴とする住宅の庇構造。
【請求項２】
前記連続庇（４）は、前記住宅本体（１）からの張り出し量（Ｌ１）が２ｍ以上とされた幅広部（４０）を備え、この幅広部（４０）を、前記住宅本体（１）における玄関（２０）側の正面（１０）と、この玄関（２０）側の正面（１０）を挟むようにして互いに略平行に延びる一対の側面（１１）（１２）とに跨って配置した請求項１記載の住宅の庇構造。
【請求項３】
前記幅広部（４０）を、平面視略凹状に形成して、その凹所を平面視略長方形状の住宅本体（１）における玄関（２０）側の端部に被せるようにして配置した請求項２記載の住宅の庇構造。
【請求項４】
前記幅広部（４０）の先端部分の要所要所を、前記住宅本体（１）に対して間隔をあけて設けた付帯壁（８０）（８１）（８２）によって支持して、前記住宅本体（１）と付帯壁（８０）（８１）（８２）との間に、前記幅広部（４０）によって覆われた付帯空間（８４）（８６）（８７）を確保した請求項２又は３記載の住宅の庇構造。
【請求項５】
前記幅広部（４０）を、前記住宅本体（１）における二階外壁（３）から張り出したバルコニー（２３）の下側において、平面から見て前記バルコニー（２３）よりも張り出すようにして配置した請求項２乃至４のいずれかに記載の住宅の庇構造。
【請求項６】
前記連続庇（４）は、少なくとも玄関用庇と、カーポート用庇と、窓用庇とを同一高さレベルで一体的に連続させてなる請求項１乃至５のいずれかに記載の住宅の庇構造。
【請求項７】
前記連続庇（４）の外周端面に沿って設けた化粧見切り材（７０）を、前記住宅本体（１）における一階外壁（２）と二階外壁（３）の境界部分に沿って設けた層間見切り材（２５）に同一高さレベルで連続させて、これら化粧見切り材（７０）及び層間見切り材（２５）を前記住宅外周の全周に亘って配置した請求項１乃至６のいずれかに記載の住宅の庇構造。
【発明の詳細な説明】
【技術分野】
【０００１】
この発明は、主として戸建て住宅の外観意匠を向上する庇構造に関する。
【背景技術】
【０００２】
一般に、戸建て住宅の外壁には、玄関用庇、窓用庇、カーポート用庇等の各種庇が屋外へ張り出して設けられている。このような各種庇は、それぞれが独立して不規則に配置されていることが多く、この場合、外観上のまとまりが悪くなって、住宅の外観意匠を高める上での妨げになっていた。
【０００３】
そこで、例えば特許文献１にも開示されているように、玄関用庇や勝手口用庇といった各種庇を、住宅本体における一階と二階の境界部分に沿って設けた見切り材の延長上に配置して、同一の高さレベルに揃えることで、住宅の外観意匠を高めることが提案されている。また、例えば特許文献２にも開示されているように、玄関用庇やカーポート用庇といった各種庇を同一の高さレベルで一体的に連続させることで、住宅の外観意匠を高めることも提案されている。
【０００４】
【特許文献１】特開平９−２１２４０号公報
【特許文献２】特開平８−３３８１３８号公報
【発明の開示】
【発明が解決しようとする課題】
【０００５】
しかしながら、特許文献１に開示されているように、各種庇を単に同一の高さレベル揃えるようにしても、各種庇は、それぞれが独立して張り出した状態のままであるから、依然として外観上のまとまりが悪く、住宅の外観意匠を格段に高めるまでには至っていない。
【０００６】
また、特許文献２に開示されているように、各種庇を同一の高さレベルに揃えて一体化すれば、それぞれが独立して張り出した状態となっているときよりも、外観上のまとまりが良くなるが、各種庇を一体化してなる部分は、住宅外周のごく一部（例えば、住宅外周における１つのコーナー部）に偏って配置されているだけであって、住宅本体に対するバランスが悪く、この場合も住宅の外観意匠を格段に高めるまでには至っていない。
【０００７】
この発明は、上記不具合を解消して、住宅本体における一階と二階の境界部分から張り出した庇群を同一高さレベルで一体的に連続させてなる連続庇を、住宅本体に対するバランスに配慮しながら見栄え良く配置して、住宅の外観意匠を格段に高めることができる住宅の庇構造の提供を目的とする。
【課題を解決するための手段】
【０００８】
上記課題を解決するため、この発明の住宅の庇構造は、住宅本体１における一階外壁２と二階外壁３の境界部分から張り出した庇群を同一高さレベルで一体的に連続させてなる連続庇４を、前記住宅本体１における玄関２０側の正面１０全体を含めた少なくとも３方向の面１０、１１、１２に跨って配置したことを特徴とする。
【０００９】
具体的に、前記連続庇４は、前記住宅本体１からの張り出し量Ｌ１が２ｍ以上とされた幅広部４０を備え、この幅広部４０を、前記住宅本体１における玄関２０側の正面１０と、この玄関２０側の正面１０を挟むようにして互いに略平行に延びる一対の側面１１、１２とに跨って配置している。
【００１０】
また、前記幅広部４０を、平面視略凹状に形成して、その凹所を平面視略長方形状の住宅本体１における玄関２０側の端部に被せるようにして配置している。
【００１１】
さらに、前記幅広部４０の先端部分の要所要所を、前記住宅本体１に対して間隔をあけて設けた付帯壁８０、８１、８２によって支持して、前記住宅本体１と付帯壁８０、８１、８２との間に、前記幅広部４０によって覆われた付帯空間８４、８６、８７を確保している。
【００１２】
また、前記幅広部４０を、前記住宅本体１における二階外壁３から張り出したバルコニー２３の下側において、平面から見て前記バルコニー２３よりも張り出すようにして配置している。
【００１３】
さらに、前記連続庇４は、少なくとも玄関用庇と、カーポート用庇と、窓用庇とを同一高さレベルで一体的に連続させてなる。
【００１４】
さらにまた、前記連続庇４の外周端面に沿って設けた化粧見切り材７０を、前記住宅本体１における一階外壁２と二階外壁３の境界部分に沿って設けた層間見切り材２５に同一高さレベルで連続させて、これら化粧見切り材７０及び層間見切り材２５を前記住宅外周の全周に亘って配置している。
【発明の効果】
【００１５】
この発明の住宅の庇構造においては、本来独立して設けられる例えば玄関用庇、カーポート用庇、窓用庇等の庇群を一纏めに集約した連続庇を、住宅本体における玄関側の正面全体を含めた少なくとも３方向の面に亘って広範囲にバランス良く配置しているので、住宅外周における余分な水平ラインをなくして、まとまりのあるすっきりとした外観とすることができ、住宅の外観意匠を格段に高めることができる。
【００１６】
特に、連続庇の平面視略凹状に形成された幅広部を、平面視略長方形状の住宅本体における玄関側の端部を囲むようにして、住宅本体における玄関側の正面及びこの正面を挟む一対の側面に跨って配置することで、最も人目に付き易い玄関側の正面から住宅全体を見たときに、あたかも住宅本体に大きな翼を取り付けたような斬新で均整の取れた外観とすることができ、住宅の外観意匠をより一層高めることができる。
【００１７】
また、幅広部の先端部分の要所要所を付帯壁によって支持して、住宅本体の一階周りに付帯空間を確保することで、住宅本体の一階部分に拡がりを持たせて住宅全体を大きく見せることができ、住宅の外観意匠をより一層高めることができる。
【００１８】
さらに、幅広部を、二階外壁から張り出したバルコニーよりも平面から見て張り出すようにして配置することで、バルコニーに邪魔されることなく連続庇の連続性を維持して、住宅の外観意匠を良好に維持することができる。
【００１９】
さらにまた、連続庇の化粧見切り材を、住宅本体の層間見切り材に同一高さレベルで連続させて、これら化粧見切り材及び層間見切り材を住宅外周の全周に亘って途切れることなく配置することで、住宅本体における庇のある部分と庇のない部分との意匠性を調和させて、住宅の外観意匠をより一層高めることができる。
【発明を実施するための最良の形態】
【００２０】
以下、この発明の実施形態を図面に基づいて詳細に説明する。この発明の一実施形態に係る住宅の庇構造は、図１乃至図６に示すように、二階建て戸建て住宅の住宅本体１における一階外壁２と二階外壁３の境界部分から張り出した庇群（具体的には、玄関用庇、カーポート用庇、窓用庇）を同一高さレベルで一体的に連続させることによって構成した略水平板状の連続庇４を備えている。
【００２１】
住宅本体１は、例えば平面視略長方形状に形成されており、その正面（東側面）１０には、一階において玄関２０が設けられ、正面（東側面）１０を挟むようにして互いに略平行に延びる一対の側面（南側面、北側面）１１、１２には、一階においてデッキ２１、２２が夫々設けられ、一方の側面（南側面）１１には、二階外壁３から張り出したバルコニー２３が設けられている。なお、住宅本体１の一階外壁２及び二階外壁３には、各種の窓Ｗ・・が適宜設けられている。
【００２２】
また、住宅本体１における背面（西側面）１３全体及び他方の側面（北側面）１２に跨るようにして、一階外壁２と二階外壁３の境界部分に沿って層間見切り材２５が設けられている。層間見切り材２５は、図７に示すように、断面略コ字状の長尺材であって、互いに略平行な一対のフランジ部２６、２６と、これらフランジ部２６、２６の一端部間を連結するウエブ部２７とを備え、そのウエブ部２７を一階外壁２の上端部に取り付けた取付金具２８に固定することによって、溝部開口２９が外側を向くようにして住宅本体１に取り付けられている。なお、図７において、３０はＨ形鋼からなる二階床梁、３１は二階外壁３の軸組、３２は二階外壁３の外壁パネル、３３は一階外壁２の軸組、３４は一階外壁２の外壁パネルである。
【００２３】
そして、上記のように構成された住宅本体１における玄関２０側の正面１０全体を含めた３方向の面すなわち正面（東側面）１０及び両側面（南側面、北側面）１１、１２に跨って、連続庇４が配置されている。
【００２４】
連続庇４は、図１及び図２に示すように、住宅本体１からの張り出し量Ｌ１が２ｍ〜４ｍとされた平面視略凹状の幅広部４０と、住宅本体１からの張り出し量Ｌ２が０．５ｍ〜１ｍとされた平面視略長方形状の幅狭部４１とを備え、幅広部４０が、その凹所を住宅本体１における玄関２０側の端部に被せるようにして、住宅本体１における正面（東側面）１０の幅方向全長、両側面（南側面、北側面）１１、１２の幅方向全長の約半分に亘って配置され、幅狭部４１が、住宅本体１における一方の側面（南側面）１１の幅方向全長の残り約半分に亘って配置されている。そして、後述するように幅広部４０がカーポート用庇及び玄関用庇として、幅狭部４１が窓用庇として機能するようになっている。
【００２５】
幅広部４０は、図８に示すように、複数の鋼材を枠状に組み付けてなる庇フレーム５１と、この庇フレーム５１の上面に下地合板５２を介して設けた水勾配を有する勾配断熱材５３と、この勾配断熱材５３の上面に設けた防水シート材５４と、庇フレーム５１の下面に軒裏野縁５５を介して設けた軒裏天井板５６と、庇フレーム５１の先端部分に設けた軒樋材５７とを備え、その庇フレーム５１を一階外壁２の上端部から張り出した腕木５８・・に固定することによって、住宅本体１に取り付けられている。
【００２６】
幅狭部４１は、図９に示すように、上面に水勾配を有する外装ケース６０と、この外装ケース６０に長手方向に間隔をあけて内装された複数の支持材６１・・と、これら支持材６１・・の下面間に軒裏野縁６２を介して設けた軒裏天井板６３とを備え、その支持材６１・・を一階外壁２の上端部から張り出した腕木６４・・に固定することによって、住宅本体１に取り付けられている。
【００２７】
このようにして構成された連続庇４の外周端面すなわち幅広部４０と幅狭部４１の外周端面には、化粧見切り材７０が連続して設けられている。化粧見切り材７０は、図８及び図９に示すように、上記の層間見切り材２５と同様の断面略コ字状の長尺材であって、互いに略平行な一対のフランジ部７１、７１と、これらフランジ部７１、７１の一端部間を連結するウエブ部７２と、このウエブ部７２の裏面に取り付けた取付部７３とを備え、その取付部７３を幅広部４０の庇フレーム５１先端や幅狭部４１の外装ケース６０先端に固定することによって、溝部開口７４が外側を向くようにして連続庇４の外周端面に沿って取り付けられている。
【００２８】
そして、この化粧見切り材７０が、一階外壁２と二階外壁３の境界部分に沿って設けた上記の層間見切り材２５に同一高さレベルで連続され、これら化粧見切り材７０及び層間見切り材２５が、住宅外周１の全周に亘って途切れることなく配置されている。
【００２９】
また、連続庇４の幅広部４０においては、その先端部分の要所要所が、住宅本体１に対して間隔をあけて設けた第１、第２、第３付帯壁８０、８１、８２及び複数の付帯柱８３・・によって支持されている。
【００３０】
第１付帯壁８０は、図１に示すように、住宅本体１における他方の側面（北側面）１２に対向して配され、住宅本体１と第１付帯壁８０との間には、幅広部４０によって覆われた第１付帯空間としてのカーポート８４が確保されている。従って、幅広部４０における住宅本体１と第１付帯壁８０との間に跨る部位は、カーポート用庇として機能するようになっている。なお、カーポート８４には、目隠し用の面材８５が設けられている。
【００３１】
第２付帯壁８１は、図１に示すように、住宅本体１における正面（東側面）１０に対向して配され、住宅本体１と第２付帯壁８１との間には、幅広部４０によって覆われた第２付帯空間としての玄関ポーチ８６が確保されている。従って、幅広部４０における住宅本体１と第２付帯壁８１との間に跨る部位は、玄関用庇として機能するようになっている。
【００３２】
第３付帯壁８２は、図１に示すように、住宅本体１における一方の側面（南側面）１１に対向して配され、住宅本体１と第３付帯壁８２との間には、幅広部４０によって覆われた第３付帯空間としての多目的空間８７が確保されている。なお、多目的空間８７には、目隠し用の面材８８、８８が設けられている。
【００３３】
なお、第１、第２、第３付帯壁８０、８１、８２は、図８に示すように、その壁面方向に間隔をあけて配置した複数の柱８９・・を囲むようにして、複数の壁材９０・・を取り付けることによって構成されている。
【００３４】
さらに、連続庇４の幅広部４０は、バルコニー２３の下側において、図２に示すように、平面から見てバルコニー２３よりも張り出すようにして配置されており、これにより住宅本体１から張り出したバルコニー２３が設けられていても、バルコニー２３に邪魔されることなく連続庇４の連続性を維持して、連続庇４を強調させるようにしている。
【００３５】
この発明は、上記実施形態に限定されるものではなく、この発明の範囲内で上記実施形態に多くの修正及び変更を加え得ることは勿論である。例えば、上記実施形態においては、連続庇４を、住宅本体１における玄関側の正面１０全体を含めた３方向の面１０、１１、１２に跨って配置していたが、住宅本体１における４方向のすべての面１０、１１、１２、１３に跨って、すなわち、住宅本体１の外周を取り囲むようにして配置しても良い。
【図面の簡単な説明】
【００３６】
【図１】この発明の一実施形態に係る庇構造を採用した住宅の一階部分の横断面図である。
【図２】同じく住宅の二階部分の横断面図である。
【図３】同じく住宅の正面（東側面）側の立面図である。
【図４】同じく住宅の一方の側面（南側面）側の立面図である。
【図５】同じく住宅の他方の側面（北側面）側の立面図である。
【図６】同じく住宅の背面（西側面）側の立面図である。
【図７】層間見切り材の取付部位における縦断面図（図２のＡ−Ａ断面図）である。
【図８】連続庇の幅広部の取付部位における縦断面図（図２のＢ−Ｂ断面図）である。
【図９】連続庇の幅狭部の取付部位における縦断面図（図２のＣ−Ｃ断面図）である。
【符号の説明】
【００３７】
１・・住宅本体、２・・一階外壁、３・・二階外壁、４・・連続庇、１０・・正面（東側面）、１１・・一方の側面（南側面）、１２・・他方の側面（北側面）、２０・・玄関、２３・・バルコニー、２５・・層間見切り材、４０・・幅広部、７０・・化粧見切り材、８０、８１、８２・・付帯壁、８４、８６、８７・・付帯空間、Ｌ１・・張り出し量
【図１】
2010013875.tif 000003
【図２】
2010013875.tif 000004
【図３】
2010013875.tif 000005
【図４】
2010013875.tif 000006
【図５】
2010013875.tif 000007
【図６】
2010013875.tif 000008
【図７】
2010013875.tif 000009
【図８】
2010013875.tif 000010
【図９】
2010013875.tif 000011